(57)【要約】  物品を保持するために閉鎖状態に連結されるセキュリティ部材である第一セキュリティ部材（１０）及び第二セキュリティ部材（１００）と、セキュリティ・デバイスを閉鎖状態に維持するためにロック状態へ移動可能なロック・スライド（２００）と、ロックする構造をロック状態に維持するためのラッチ手段（２０２）とを具備していて、前記ラッチ手段は前記ロック・スライドの一体部分を形成する、物品を保持するためのセキュリティ・デバイス。前記ロック・スライドは前記第一セキュリティ部材へ移動可能に取付けられ、また前記ラッチ手段は前記ロック・スライドの主平面から延びていて、前記ロック状態において、前記第二セキュリティ部材上に配置される協働手段（１０６）と係合するよう考案されたスプリング・ブレード（２０２）を具備する。
2007515573.tif 000002
【特許請求の範囲】
【請求項１】
物品を保持するためのセキュリティ・デバイスであって、
物品を保管するために閉鎖状態に連結されるセキュリティ部材である第一セキュリティ部材（１０）及び第二セキュリティ部材（１００）と、セキュリティ・デバイスを閉鎖状態に維持するためにロック状態へ移動可能であるロック・スライド（２００）と、ロックする構造をロック状態に維持するためのラッチ手段（２０２）とを具備しているものにおいて、
前記ラッチ手段は前記ロック・スライドの一体部分を形成することを特徴とする、
セキュリティ・デバイス。
【請求項２】
前記ロック・スライドは前記第一セキュリティ部材へ移動可能に取付けられ、また前記ロック状態において前記ラッチ手段は協働手段（１０６）と係合するよう考案され、前記第二セキュリティ部材上に配置されることを特徴とする、請求項１に記載のセキュリティ・デバイス。
【請求項３】
前記ラッチ手段は、前記ロック・スライドの主平面から延びているスプリング・ブレード（２０２）を具備することを特徴とする、請求項２に記載のセキュリティ・デバイス。
【請求項４】
前記スプリング・ブレードは停止用部材と係合するよう考案され、前記ロック状態において前記第二セキュリティ部材上に配置されることを特徴とする、請求項２に記載のセキュリティ・デバイス。
【請求項５】
前記停止用部材は前記第二セキュリティ部材上の肩部であることを特徴とする、請求項４に記載のセキュリティ・デバイス。
【請求項６】
前記停止用部材は前記第二セキュリティ部材上の凹部であることを特徴とする、請求項４に記載のセキュリティ・デバイス。
【請求項７】
前記ロック・スライドに沿って離間されるセキュリティ・デバイスは、二つ以上のスプリング・ブレードと二つ以上の対応する停止用部材を具備することを特徴とする、請求項４に記載のセキュリティ・デバイス。
【請求項８】
前記ロック・スライドは弾力性のある磁性材料から作製されることを特徴とする、請求項１−７のいずれか一項に記載のセキュリティ・デバイス。
【請求項９】
前記ロック・スライドは前記第一セキュリティ部材へ移動可能に取付けられまた突出する歯部（２０１）を有し、前記ロック状態において前記歯部は前記第二セキュリティ部材上で突出するタブ（１０５）と係合していることを特徴とする、請求項１に記載のセキュリティ・デバイス。
【請求項１０】
前記第一セキュリティ部材は第一の突出するタブ（２０）を有し、また前記第二セキュリティ部材は、前記閉鎖状態をとるとき前記第一タブに隣接し通過するよう考案された第二の突出するタブ（１０５）を有し、前記ロック・スライドは前記ロック状態において前記第一タブと前記第二タブとの間に位置をとっていて、また前記第一タブと前記第二タブとの少なくとも一部は重畳している、突出する歯部（２０１）を有することを特徴とする、請求項１に記載のセキュリティ・デバイス。
【請求項１１】
前記歯部は前記ロック・スライドの湾曲部であり、前記ロック・スライドの主平面から突出していることを特徴とする、請求項９あるいは１０に記載のセキュリティ・デバイス。
【請求項１２】
複数の歯部とタブとを備え、前記ロック・スライドに沿って離間されることを特徴とする、請求項９あるいは１０に記載のセキュリティ・デバイス。
【請求項１３】
前記セキュリティ部材は閉鎖状態において、保管物品を一部収納するよう考案されることを特徴とする、請求項１−１２のいずれか一項に記載のセキュリティ・デバイス。
【請求項１４】
前記セキュリティ部材は閉鎖状態において、保管物品を完全に収納するよう考案されることを特徴とする、請求項１−１２のいずれか一項に記載のセキュリティ・デバイス。
【請求項１５】
前記セキュリティ部材はそれぞれの第一端部で互いに連結されまたロックされるよう考案され、また前記第一端部の反対側のそれぞれの第二端部においてちょうつがい(１７)で連結されることを特徴とする、請求項１−１４のいずれか一項に記載のセキュリティ・デバイス。
【請求項１６】
前記セキュリティ部材はそれぞれの第一端部で互いに連結されまたロックされるよう考案され、また前記第一端部の反対側のそれぞれの第二端部おいてホックで連結されるよう考案されることを特徴とする、請求項１−１４のいずれか一項に記載のセキュリティ・デバイス。
【請求項１７】
前記セキュリティ部材はそれぞれの第一端部と、前記第一端部の反対側のそれぞれの第二端部において互いに連結されまたロックされるよう考案されることを特徴とする、請求項１−１４のいずれか一項に記載のセキュリティ・デバイス。
【請求項１８】
前記第一セキュリティ部材はベース用部材であり、また前記第二セキュリティ部材はふた用部材であり、そしてそのベース用とふた用との部材は前記閉鎖状態においてボックス状構造を形成することを特徴とする、請求項１−１７のいずれか一項に記載のセキュリティ・デバイス。
【請求項１９】
前記閉鎖状態において、前記ベース用部材は自身の内部側面上の前記ロック・スライドを支持する前面壁（１２）を有し、また前記ふた用部材は前記ロック・スライドの内部側面上に位置決めされる前面壁（１０２）を有することを特徴とする、請求項１８に記載のセキュリティ・デバイス。
【請求項２０】
前記ふた用部材は自身の前面壁から突出するフランジ（１０７）を有し、そしてそのフランジは前記閉鎖状態において、前記ベース用部材の前面壁と係合しまた前記ボックス状構造にロック・スライドを収納することを特徴とする、請求項１９に記載のセキュリティ・デバイス。
【請求項２１】
前記第一セキュリティ部材の側部の開口部を通って突出する操作手段（２０４）を備える前記ロック・スライドが考案されることを特徴とする、請求項１−２０のいずれか一項に記載のセキュリティ・デバイス。
【請求項２２】
警報タグを具備していることを特徴とする、請求項１−２１のいずれか一項に記載のセキュリティ・デバイス。
【請求項２３】
物品を保持するためのセキュリティ・デバイスであって、
物品を保管するために閉鎖状態に連結されるセキュリティ部材である第一セキュリティ部材（１０）及び第二セキュリティ部材（１００）と、セキュリティ・デバイスを閉鎖状態に維持するためにロック状態へ移動可能であるロック・スライド（２００）と、ロックする構造をロック状態に維持するためのラッチ手段（２０２）とを具備しているものにおいて、
前記ラッチ手段は前記第一セキュリティ部材上で支持され、また前記第二セキュリティ部材上の協働手段（１０６）と係合するよう考案されることを特徴とする、
セキュリティ・デバイス。
【請求項２４】
前記ラッチ手段は前記ロック・スライドの主平面から延びているスプリング・ブレード（２０２）を具備することを特徴とする、請求項２３に記載のセキュリティ・デバイス。
【請求項２５】
前記ラッチ手段は前記ロック・スライドと一体であることを特徴とする、請求項２３に記載のセキュリティ・デバイス。
【請求項２６】
前記スプリング・ブレードは前記ロック状態において前記第二セキュリティ部材上に配置される停止用部材と係合するよう考案されることを特徴とする、請求項２４に記載のセキュリティ・デバイス。
【請求項２７】
前記ロック・スライドに沿って離間されるセキュリティ・デバイスが、二つ以上のスプリング・ブレードと二つ以上の対応する停止用部材とを具備することを特徴とする、請求項２６に記載のセキュリティ・デバイス。
【請求項２８】
前記停止用部材は前記第二セキュリティ部材上の肩部であることを特徴とする、請求項２６に記載のセキュリティ・デバイス。
【請求項２９】
前記停止用部材は前記第二セキュリティ部材上の凹部であることを特徴とする、請求項２６に記載のセキュリティ・デバイス。
【請求項３０】
前記ラッチ手段は弾力性のある磁性材料から作製されることを特徴とする、請求項２３−２９のいずれか一項に記載のセキュリティ・デバイス。
【請求項３１】
警報タグを具備していることを特徴とする、請求項２３−３０のいずれか一項に記載のセキュリティ・デバイス。
【発明の詳細な説明】
【技術分野】
【０００１】
本発明は一般的には、商品を盗難から保護するセキュリティ・デバイスに関する。具体的には、本発明はちょうつがいで連結されるふたを備えるベースを具備するセキュリティ・ボックスと、ロック・スライドによって前記ボックスを閉鎖状態に厳重にロックするための構造とに関する。
【背景技術】
【０００２】
店内に売却用の商品を陳列するためのセキュリティ・ボックスは、数年前から使用されてきた。一般に、このボックスは透明あるいは部分的に被覆され旋回可能に接続されたボックス用部材を具備する。これらのボックス用部材は、ちょうつがいで連結されるベースとふたを形成し、また一般にプラスチックから作製される。このセキュリティ・ボックスに入っている物品の不正な持ち去りを阻止するために、ボックスはロック可能であり、またＥＡＳ（電子商品監視）タグを保持あるいは収納する場合が多く、もしもＥＡＳタグが小売店から移動されるなら警報を誘発する。容器にかかっているロックは、窃盗犯がＥＡＳタグを除去しないようにあるいはセキュリティ・ボックスから物品を持ち去らないようにする。
このセキュリティ・ボックスのもっとも一般的な用途は、ＣＤと、ＤＶＤと、カセットなどの記録メディアの物品である。セキュリティ・ボックスが使用される他の物品は、カミソリ刃と、化粧品と、バッテリーと、タバコを含む。
【０００３】
多くの様々な型のセキュリティ・デバイスは技術的に周知であり、セキュリティ・デバイスをロックするためのロック・スライド構造と、セキュリティ・デバイスをロック状態に維持するための手段を具備している。
【０００４】
欧州特許第616103号明細書は、ボックス用部材を閉鎖状態にロックするために他のボックス用部材の歯部と協働する、第一ボックス用部材内に移動可能なロック・スライドを有する、二つのちょうつがいで連結されたボックス用部材を備えるセキュリティ・デバイスの設計図を開示している。第一ボックス用部材に外せないように取付けられるロッキング小片が、デバイスをロック状態に維持するためにロック・スライドと係合するよう考案される。
【０００５】
米国特許第5,760,689号明細書は、カセットとふたを具備する別の設計図を提案する。ふたに配置されたロック・スライドは、容器をロックするためにカセットと係合するよう考案された、横に突出しているロック・ボルトを備える。独自に作動するスライドが、ロック・スライドを移動するために備えられる。さらにラッチ用部材が、ロック・スライドを係合状態に維持するように考案される。
【０００６】
国際出願第01/83325号明細書は、ベースとふたを備えるさらに別の設計図を開示する。ロック状態とロック解除状態の間を移動可能なロック・スライドが、ベース内に配置される。ベースとふたは、ボックスが閉鎖されるとき互いに入れ違いになり協働する歯部を含む。ロック・スライドは、スライドがロック状態へ移動されるときベースとふたとの協働する歯部の中間位置へ移動される歯部を含む。ロック状態においてロック・スライドと係合するよう考案された、独自のラッチ用部材がベースへ固定される。
【０００７】
セキュリティ・デバイスはしばらくの間市場で入手可能であり続けたが、改良がさらになされる可能性がある。一例を挙げると、ロックとロック解除とに関してセキュリティ・デバイスを扱うことが容易であるという、殆どの場合店員であるユーザからの一般的な要求がある。さらに、小売店が使用するセキュリティ・デバイスは概して大量に製造されるので、製造を単純化する設計は一般的な要望である。
【発明の開示】
【０００８】
本発明の一般的な目的は、物品を保持するためのセキュリティ・デバイスを提供することであり、そのセキュリティ・デバイスは現在の技術を超える改良を、あるいは少なくとも有用な選択を提供する。この目的の第一の態様は、製造と組立てに関して改良された製造能力を備えるセキュリティ・デバイスを提供することである。さらに、この目的の第二の態様は、改良された操作能力を備えるセキュリティ・デバイスを提供することである。
【０００９】
本発明の第一の態様によると、これらの目的は、物品を保持するためのセキュリティ・デバイスにより成就される。また、そのセキュリティ・デバイスは物品を小売するために閉鎖状態に連結されるセキュリティ部材である第一セキュリティ部材及び第二セキュリティ部材と、セキュリティ・デバイスを閉鎖状態に維持するためにロック状態へ移動可能なロック・スライドと、ロックする構造をロック状態に維持するためのラッチ手段であって、前記ラッチ手段は前記ロック・スライドの一体部分を形成するものとを具備している。この配置によると、セキュリティ・デバイスに含まれる必要がある部品は、独自のラッチ用部材が無くて済まされるため、先行技術の解決方法に比べて少ない。これは製造と組立ての両方において時間と価格を低減する。さらに部品が少ないことは破損の潜在要因が少なくまたしたがってより信頼できる製品であることを意味する。
【００１０】
或る実施態様において、前記ロック・スライドは前記第一セキュリティ部材上に移動可能に取付けられ、前記ラッチ手段は前記ロック状態において前記第二セキュリティ部材上に配置される協働手段と係合するよう考案される。
【００１１】
前記ラッチ手段は前記ロック・スライドの主平面から延びているスプリング・ブレードを具備するのが好ましい。前記スプリング・ブレードは、前記ロック状態にある前記第二セキュリティ部材上に配置される停止用部材と係合するよう考案される。前記停止用部材は、前記第二セキュリティ部材上の肩部であってよい。
選択的に、前記停止用部材は、前記第二セキュリティ部材上の凹部であってよい。
【００１２】
前記ロック・スライドに沿って離間される前記セキュリティ・デバイスは、二つ以上のスプリング・ブレードと二つ以上の対応する停止用部材とを具備する。
【００１３】
好適な実施態様において、前記ロック・スライドは弾力性のある磁性材料から作製される。
【００１４】
前記ロック・スライドは前記第一セキュリティ部材に移動可能に取付けられ、また突出する歯部を有し、前記歯部は前記ロック状態において前記第二セキュリティ部材上の突出するタブと係合しているのが好ましい。
【００１５】
選択的な実施態様において、前記第一セキュリティ部材は、第一の突出するタブを有し、また前記第二セキュリティ部材は、前記閉鎖状態を取るとき前記第一タブに隣接し通過するよう考案された第二の突出するタブを有し、前記ロック・スライドは、前記第一と前記ロック状態にある前記第二タブとの間の位置を取っていて、また前記第一タブと前記第二タブと少なくとも一部は重畳している突出する歯部を有する。
【００１６】
或る実施態様において、前記歯部は前記ロック・スライドの湾曲部であり、前記ロック・スライドの主平面から突出している。
前記ロック・スライドに沿って離間されるセキュリティ・デバイスは、複数の歯部とタブを含んでもよい。
【００１７】
或る実施態様において、前記セキュリティ部材は、小売物品を閉鎖状態に部分的に収納するよう考案される。選択的に、前記セキュリティ部材は小売物品を完全に閉鎖状態に収納するよう考案される。
【００１８】
好適な実施態様において、前記セキュリティ部材は、それぞれの第一端部において互いに連結されまたロックされるよう考案され、また前記第一端部の反対側のそれぞれの第二端部においてちょうつがいで連結される
【００１９】
選択的な実施態様において、前記セキュリティ部材は、それぞれの第一端部において互いに連結されまたロックされるよう考案され、また前記第一端部の反対側のそれぞれの第二端部においてホックで連結されるよう考案される。
【００２０】
別の選択的な実施態様において、前記セキュリティ部材はそれぞれの第一端部において、また前記第一端部の反対側のそれぞれの第二端部において互いに連結されまたロックされるよう考案される。
【００２１】
或る好適な実施態様において、前記第一セキュリティ部材はベース用部材であり、また前記第二セキュリティ部材はふた用部材である。またベース用部材とふた用部材は、前記閉鎖状態においてボックス状の構造を形成する。前記ベース用部材は、自身の内部側面で前記ロック・スライドを支持する前面壁を有し、また前記ふた用部材は、前記閉鎖状態において前記ロック・スライドの内部側面上で位置決めされる前面壁を有する。前記ふた用部材はさらに、自身の前面壁から突出しているフランジを有し、そしてそのフランジは前記閉鎖状態において前記ベース用部材の前面壁と係合し、またロック・スライドを前記ボックス状構造に収納する。
【００２２】
或る実施態様において、前記第一セキュリティ部材の側部の開口部を通って突出する操作手段を備える前記ロック・スライドが考案される。
好適な実施態様において、前記セキュリティ・デバイスは警報タグを具備する。
【００２３】
本発明の第二の態様によると、現状の目的は商品を保持するためのセキュリティ・デバイスにより成就される。また、そのセキュリティ・デバイスは物品を小売するために閉鎖状態に連結されるセキュリティ部材である第一セキュリティ部材及び第二セキュリティ部材と、セキュリティ・デバイスを閉鎖状態に維持するためにロック状態に移動可能なロック・スライドと、ロックする構造をロック状態に維持するためのラッチ手段であって、前記第一セキュリティ部材上で支持され、また前記第二セキュリティ部材上で協働する手段と係合するよう考案されるものとを具備している。この配置によると、セキュリティ・デバイスが開放状態にあるとき、ラッチ手段が前記協働手段から引き離される状態ではロック・スライドをラッチできない。これはセキュリティ・デバイスの操作の大幅な改良を意味する。その理由は、前述の解決方法など先行技術の解決方法は、セキュリティ・デバイスが開放状態にあるときでさえロック状態において手違いにより容易にラッチされるためである。物品をセキュリティ・ボックスに装填する過程のとき、この手違いは、セキュリティ・デバイスをロック解除するまた開放するために必要な特殊な工具を使用しなければならないという面倒な結果を招く。  
【００２４】
或る実施態様において、前記ラッチ手段は前記ロック・スライドの主平面から延びているスプリング・ブレードを具備する。
前記ラッチ手段は、前記ロック・スライドと一体であるのが好ましい。
【００２５】
好適な実施態様において、前記スプリング・ブレードは、前記ロック状態において前記第二セキュリティ部材上に配置される停止用部材と係合するよう考案される。前記停止用部材は、前記第二セキュリティ部材上の肩部であってよい。選択的に、前記停止用部材は前記第二セキュリティ部材上の凹部であってよい。
【００２６】
前記ロック・スライドに沿って離間される前記セキュリティ・デバイスは、二つ以上のスプリング・ブレードと二つ以上の対応する停止用部材を具備するのが好ましい。
前記ラッチ手段は弾力性のある磁性材料から作製されるのが好ましい。
好適な実施態様において、前記セキュリティ・デバイスは警報タグを具備する。
【００２７】
本発明の特徴と利点は、添付図を参照して好適な実施態様の以下の記載からより明らかになる。
【発明を実施するための最良の形態】
【００２８】
本発明の第一実施態様は今から、図１−６を参照して説明される。
図１と２は、開放状態のセキュリティ・デバイス１を二つの異なる角度から示す。セキュリティ・デバイス１は、第一セキュリティ部材１０と、第二セキュリティ部材１００、また前記セキュリティ部材を互いにそれぞれの第一端部１２と，１０２において連結するまたロックするための手段を具備する。セキュリティ部材１０と１００は、前記第一端部１２と、１０２の反対側の、それぞれの第二端部１４と、１０４においてちょうつがいデバイス１７により互いに旋回可能に取付けられる。
【００２９】
図面において開示された実施態様において、第一セキュリティ部材は、ベース用部材１０であるが、第二セキュリティ部材はふた用部材１００である。一緒にして連結されるとき、ベース用部材１０とふた用部材１００は、物品あるいは商品を保管する区画を画定するボックス状構造を形成する。本記載に使用される、内向きと外向きのみならず内部と外部の意味は前記ボックス状構造の区画に関連する。
【００３０】
ベース用部材１０は、顧客がセキュリティ・デバイスの内容を見ることを可能にする、好ましくは耐久性のある透明なプラスチック材料から作製される平面壁１１を具備する。前面壁１２と、背壁１４と、側壁１３は平面壁１１からほぼ垂直に延びる。前面壁１２は、ロック・スライド２００を支持し、またそのロック・スライドは、前面壁１２の内部側面に沿って移動可能である。或る実施態様において、前記前面壁は、ロックする構造へ可視的にアクセスすることを阻止するため不透明である。ふた用部材１００は同様に、好ましくは耐久性のある透明なプラスチック材料から作製される平面壁１０１を具備する。前面壁１０２と、背壁１０４と、側壁１０３は、平面壁１０１からほぼ垂直に延びる。フランジ１０７は、平面壁１０１の延長として前面壁１０２から突出し、またそのフランジ１０７は、閉鎖状態においてベース用部材１０の前面壁１２と係合しまたロック・スライドをボックス状構造に収納する。
【００３１】
図示された実施態様において、側壁１３と１０３はセキュリティ・デバイスの閉鎖状態においてそれらの縁により係合するよう考案される。選択的な実施態様において、セキュリティ部材１０と、１００の側壁は、重畳するよう考案され、それによって係合される側壁間に物体を挿入することによる不正なアクセスを阻止している。ちょうつがいデバイス１７は、それぞれの背壁１４と、１０４に取付けられる少なくとも一対のちょうつがい用部材１８と、１０５を具備し、またそのちょうつがい用部材は、ちょうつがいデバイス用の回転軸としての役割をしているピン１９により連結される。
【００３２】
ふた用部材１００の前面壁１０２は、セキュリティ・デバイスのロック状態において前記ロック・スライド２００と係合用の外向きに突出するロック・タブ１０５を支持する。具体的に示された実施態様において、四つのロック・タブがある。選択的な実施態様はしかし、いずれかの数、即ち一つあるいは二つあるいはそれ以上のロック・タブ１０５を含んでよい。しかしながら、示されるように、ふた用部材１００の前面壁１０２に沿って配分される複数のロック・タブ１０５を使用することにより、捩りあるいは曲げによるセキュリティ・デバイスを開放する可能性を最小にする多数のロッキング点が取得される。
【００３３】
図３は、図１と２のロック・スライド２００とベース用部材１０の一部をより明瞭に示す。ロック・スライド２００は、ベース用部材１０の前面壁１２に沿って移動可能であり、また操作用部材２０４がこの目的のために使用される。操作用部材２０４は、前面壁１２に形成される細長い開口部を通ってアクセス可能であり、またロック・スライド２００へ固定されあるいはロック・スライドの一部を形成する。示された実施態様は、前面壁１２の外部側面に配置され、また前記開口部を通ってロック・スライド２００内の取付け手段２０３へ厳重に固定される、独自の操作用部材２０４を具備する。この特殊な実施態様において、取付け手段２０３は内向きに突出していて、操作用部材２０４のビード部２０５と係合するフランジを具備する。しかしながら、選択的な実施態様において、操作用部材２０４は、ロック・スライド２００の湾曲部であってよく、またその湾曲部分は前記細長い開口部を通って突出する。さらに別の実施態様において、操作用部材２０４は単に、前記細長い開口部を通ってアクセス可能である、ロック・スライド２００内の凹部あるいは貫通孔であってよい。示された実施態様において、開口部は、図１の操作用部材２０４と、図２と３のロック・スライド２００により覆われ、またそれ故に目に見えない。しかしながら、当業者が完全に理解するように、前記開口部の延長部は前面壁１２に沿って延びる。
【００３４】
ロック・スライド２００は、鋼など弾力性のある磁性金属材料から作製され、また前面壁１２に平行な主平面内に延びる。ロック・スライド２００の内部側面上で、内向きに突出する少なくとも一つのロック・歯部２０１が固定される。示された実施態様において、ふた用部材１００の四つのロック・タブ１０５と係合するよう考案される、四つのロック・歯部２０１が含まれる。前述のように、ロック・歯部２０１のいずれかの数、即ち一つあるいは二つあるいはそれ以上が使用される。好適な実施態様において、各ロック・歯部２０１は、前記ロック・スライド２００の湾曲部を具備する。ロック・スライドはその全体高さにわたり湾曲されてもよい。しかしながら、好適でまた示された実施態様において、前記湾曲部は、一方の端部においてロック・スライド２００の主平面へ固定され、またロック・スライド２００の延長部に延びる、切り出し舌部２０１である。セキュリティ・デバイス１が閉鎖されるとき、歯部２０１はロック・スライド２００を、歯部２０１がロック・タブ１０５の上方へ設置されるロック状態へ、横向きに移動することによりセキュリティ・デバイスをロックするよう考案され、それは後述される。
【００３５】
いったん操作用部材２０４が、前面壁１２の開口部を通りロック・スライド２００へ取付けられると、ロック・スライド２００はベース用部材１０へ固定される。しかしながら、セキュリティ・デバイスを補強するために、ベース用部材１０の前面壁１２は、ロック・スライド２００の上方へ内向きに突出していて、それによって上端部分１６が平面壁１１から離れて上向きに移動しないようにしている上端部１６を具備する。さらに、ガイド用肩部１６は前面壁１２の下端部に配置されるのが好ましい。
【００３６】
セキュリティ・デバイス１をロック状態に維持するために、ラッチ手段がロック・スライド２００と一体である少なくとも一つのスプリング・ブレード２０２の形状で備えられる。スプリング・ブレード２０２は、ロック・スライド２００の主平面からの角度で内向きにまた横向きに突出するよう偏向される。本実施態様においては、二つの離間したスプリング・ブレード２０２が含まれるが、単一のスプリング・ブレード２０２で十分である。
【００３７】
図１から明らかであるように、ふた用部材１００の前面壁はさらに、セキュリティ・デバイス１が閉鎖されまたロックされるときスプリング・ブレード２０２と係合するよう考案された、停止用部材１０６を含む。前記停止用部材は示された実施態様において、ロック・スライド２００の移動方向に垂直に延びている突出する肩部１０６により備えられる。選択的な解決方法は、前面壁１０２に凹部を備えることである。
【００３８】
図４は、閉鎖かつロック状態において、省略されたベース用部材１０により支持されるロック・スライド２００と、省略された平面壁１０１を備えるふた用部材１００の一部とを示す。ロック・歯部２０１は、ロック・タブ１０５の上方に位置決めされ、ふた用部材１００がベース用部材１０から引き離されることを阻止している。さらに、各スプリング・ブレード２０２は、自身の弾力性によって、停止用部材の端部１０６の後ろで自身の外部端部と係合される状態を自動的にとり、それによってロック・スライド２００がロック解除状態へ移動されることを阻止している。
【００３９】
ラッチされるセキュリティ・デバイス１をロック解除するために、特殊な工具が要求される。図１の実施態様のために、この特殊な工具は、先行技術においては十分周知の方法である、ロック・スライド２００の主平面に向けてスプリング・ブレード２０２を引付けるに十分に強力な磁石を含む必要がある。特殊な工具は、各スプリング・ブレードのための一つの磁石を具備し、またその磁石は、前記スプリング・ブレード２０２間と同一の間隔を備えて工具の表面に沿って配分されるのが好ましい。さらに正確に作動されるとき操作用部材２０４と係合するよう考案された操作係合手段が、特殊な工具に含まれるのが好ましい。
【００４０】
図５は、省略されたふた用部材１００の平面壁１０１を備え、自身のロック状態においてタブ１０５の上方に配置される歯部２０１と、肩部１０６の後ろで係合されるスプリング・ブレード２０２とを備える、図１の実施態様を示す。この特殊な型のセキュリティ・デバイスのために設計される特殊な工具（示されていない）は、操作用部材２０４と係合され、それによって特殊な工具の磁石が、対応するスプリング・ブレード２０２の上部に自動的に設置される。スプリング・ブレード２０２はしたがって、スプリング・ブレード２０２の外端部が肩部１０６の上方へ引上げられる場合、少なくともある程度まで磁石により引付けられる。
【００４１】
図６はさらに、セキュリティ・デバイス１が特殊な工具に対して横方向に移動され、それによって特殊な工具が操作用部材２０４によりロック・スライド２００を引張り、その結果歯部２０１がタブ１０５から引き離される方法を示す。セキュリティ・デバイスはすぐにロック解除されまた開放される。
【００４２】
本発明の第二の実施態様は、図７−９に示される。この第二の実施態様は多くの方法において第一の実施態様と同一であり、またしたがって同一の参照符号が対応する要素に使用される。
【００４３】
図７は開放状態のセキュリティ・デバイス２を示す。二つの第一ロック・タブ１０５はふた用部材１００の前面壁１０２から突出する。肩用部材１０６を備える前面壁１０２が同様に、ベース用部材１０上に移動可能に配置されたロック・スライド２００上のラッチ手段との係合用に考案される。さらに、ベース用部材１０の前面壁１２は、内向きに、即ち第一タブ１０５の反対方向に突出している二つの第二ロック・タブ２０を有する。第一と第二のロック・タブは、ふた用部材１００が閉鎖されるとき、持ち込まれる第一タブ１０５が第二のタブ２０と入れ違いになるようにオフセットされる。
【００４４】
図８は内部から見られ、鋼など弾性力のある磁性金属材料から作製されるロック・スライド２００を露呈しているベース用部材１０の一部を示す。前述の実施態様のようにスプリング・ブレードの形状の歯部２０１とラッチ手段２０２を備えるロック・スライド２００が考案される。操作用部材２０４は、前面壁１２内の細長い開口部を通ってロック・スライド２００へ取付けられる。前述の実施態様との一つの相違は、前記第二タブ２０に対して横方向に移動可能であるが、歯部２０１は第二タブ２０の直下に配置されることである。
【００４５】
図９は最終的に、図７のセキュリティ・デバイスで閉鎖されまたラッチされる実施態様で、ふた用部材１００の平面壁を省略している、切り出し部分を示す。前面壁１０２は、ロック・スライド２００の内側に配置され、また第一タブ１０５は、第二タブ２０の横と下に設置される。ロック・スライド２００は、歯部２０１が前記第一タブ１０５と前記第二タブ２０との間に設置される状態へ移動され、その結果セキュリティ・デバイス２が開放されないようにしている。さらに、スプリング・ブレード２０２は、肩用部材１０６との係合にラッチされ、ロック・スライドが示されたロックされ位置決めされる状態のままにならないようにしている。前面壁１２に対して磁石を具備している特殊工具を操作することにより、スプリング・ブレード２０１は、ロック・スライド２００が図面において右へ移動された後の場合、肩用部材１０６から引き離されるように引付けられる。このように、第一タブ１０５は引き離され、そしてセキュリティ・デバイス２は開放される。
【００４６】
本発明は、ロック・スライド２００とラッチ手段２０２との両方を具備している一体になった要素２００を備え、セキュリティ・デバイスに必要とされる部品が少ないため  先行技術に比べて簡素化された設計図を提供する。さらに、他のセキュリティ部材１００上で協働する部材１０６を備える一方のセキュリティ部材１０へ取付けられるラッチ手段２０２間の係合を含むようラッチする機能を配置することにより、セキュリティ・デバイスを開放状態にラッチできないので、改良されたハンドリングが達成される。本発明に記載のセキュリティ・デバイスは、ＣＤあるいはＤＶＤなどの記録メディアあるいは、宝石箱、あるいはかみそり刃など他の物品あるいは他の商品を保存するために使用される。実際、本発明は保管される物品のいずれの型に少しも限定されない。さらに、セキュリティ部材はボックス状構造を形成することは本質的ではなく、ボトルネックと、自転車のフレーム等々など細長い物品に関して設置されるよう考案されたクランプ状構造を形成するほうが好都合かもしれない。同様に二つのセキュリティ部材は、ちょうつがいで連結される必要はない。選択的な解決方法は、ロック構造を持込んでいる端部の反対の端部にホック状の係合部を備えることである。さらに別の可能性は、両端部にロック構造を備えることである。
【００４７】
本発明の説明と図は事例のためであり、またしたがって本発明の範囲は示されあるいは説明された正確で詳細な記述に限定されないことに注意すべきであろう。
【図面の簡単な説明】
【００４８】
【図１】図１は、本発明の第一実施態様に記載のセキュリティ・デバイスの開放状態の透視正面図である。
【図２】図２は、図１のセキュリティ・ストレージ・デバイスの開放状態の透視背面図である。
【図３】図３は、図１のセキュリティ・デバイスのベース用部材の部分図である。
【図４】図４は、図１の実施態様の、ベース用部材のロック・スライドと係合されるふた用部材を示す。
【図５】図５は、図１のセキュリティ・デバイスのロックかつラッチ状態の平面図を示す。
【図６】図６は、図１のセキュリティ・デバイスのロック解除状態の平面図を示す。
【図７】図７は、本発明の第二実施態様に記載のセキュリティ・デバイスの開放状態の透視正面図である。
【図８】図８は、図７のセキュリティ・デバイスのベース用部材の部分図である。
【図９】図９は、図７のセキュリティ・デバイスのロックかつラッチ状態の部分平面図を示す。
【図１】
2007515573.tif 000003
【図２】
2007515573.tif 000004
【図３】
2007515573.tif 000005
【図４】
2007515573.tif 000006
【図５】
2007515573.tif 000007
【図６】
2007515573.tif 000008
【図７】
2007515573.tif 000009
【図８】
2007515573.tif 000010
【図９】
2007515573.tif 000011
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
物品を保持するためのセキュリティ・デバイスであって、
物品を保管するために閉鎖状態に連結されるセキュリティ部材である、第一セキュリティ部材（１０）及び第二セキュリティ部材（１００）と、セキュリティ・デバイスを開放するロック解除状態とセキュリティ・デバイスを閉鎖状態に維持するためのロック状態との間を、移動可能であるように前記第一セキュリティ部材へ取付けられるロック・スライド（２００）と、ロック・スライドをロック状態に維持するために協働手段と係合するように考案された、スプリング・ブレードを具備するラッチ手段（２０２）とを具備しているものにおいて、
ロック・スライドは弾力性のある磁性材料から作製され、またスプリング・ブレードは前記ロック・スライドの一体部分を形成し、そして協働手段（１０６）は前記第二セキュリティ部材上に配置されることを特徴とする、
セキュリティ・デバイス。
【請求項２】
前記スプリング・ブレード（２０２）は前記ロック・スライドの主平面から延びることを特徴とする、請求項１に記載のセキュリティ・デバイス。
【請求項３】
前記協働手段は停止用部材を具備し、前記第二セキュリティ部材上に配置される
ことを特徴とする、請求項１に記載のセキュリティ・デバイス。
【請求項４】
前記停止用部材は前記第二セキュリティ部材上の肩部であることを特徴とする、請求項３に記載のセキュリティ・デバイス。
【請求項５】
前記停止用部材は前記第二セキュリティ部材上の凹部であることを特徴とする、請求項３に記載のセキュリティ・デバイス。
【請求項６】
前記ロック・スライドに沿って離間されるセキュリティ・デバイスは、二つ以上のスプリング・ブレードと二つ以上の対応する停止用部材とを具備することを特徴とする、請求項３に記載のセキュリティ・デバイス。
【請求項７】
前記ロック・スライドは突出する歯部（２０１）を有し、前記歯部は前記ロック状態において、前記第二セキュリティ部材上に突出するタブ（１０５）と係合していることを特徴とする、請求項１に記載のセキュリティ・デバイス。
【請求項８】
前記第一セキュリティ部材は第一の突出するタブ（２０）を有し、また前記第二セキュリティ部材は、前記閉鎖状態をとるとき前記第一タブに隣接し通過するよう考案された第二の突出するタブ（１０５）を有し、前記ロック・スライドは前記ロック状態において、前記第一タブと前記第二タブとの間に位置をとっていて、また前記第一タブと前記第二タブとの少なくとも一部は重畳している、突出する歯部（２０１）を有することを特徴とする、請求項１に記載のセキュリティ・デバイス。
【請求項９】
前記歯部は前記ロック・スライドの湾曲部であり、前記ロック・スライドの主平面から突出していることを特徴とする、請求項７あるいは８に記載のセキュリティ・デバイス。
【請求項１０】
複数の歯部とタブとが備えられ、前記ロック・スライドに沿って離間されることを特徴とする、請求項７あるいは８に記載のセキュリティ・デバイス。
【請求項１１】
前記セキュリティ部材は、閉鎖状態において保管物品を一部収納するよう考案されることを特徴とする、請求項１−１０のいずれか一項に記載のセキュリティ・デバイス。
【請求項１２】
前記セキュリティ部材は、閉鎖状態において保管物品を完全に収納するよう考案されることを特徴とする、請求項１−１０のいずれか一項に記載のセキュリティ・デバイス。
【請求項１３】
前記セキュリティ部材は、それぞれの第一端部で互いに連結されまたロックされるよう考案され、また前記第一端部の反対側でそれぞれの第二端部においてちょうつがいで連結される(１７)ことを特徴とする、請求項１−１２のいずれか一項に記載のセキュリティ・デバイス。
【請求項１４】
前記セキュリティ部材は、それぞれの第一端部で互いに連結されまたロックされるよう考案され、また前記第一端部の反対側でそれぞれの第二端部においてホックで連結されるよう考案されることを特徴とする、請求項１−１２のいずれか一項に記載のセキュリティ・デバイス。
【請求項１５】
前記セキュリティ部材は、それぞれの第一端部と、前記第一端部の反対側でそれぞれの第二端部とにおいて、互いに連結されまたロックされるよう考案されることを特徴とする、請求項１−１２のいずれか一項に記載のセキュリティ・デバイス。
【請求項１６】
前記第一セキュリティ部材はベース用部材であり、また前記第二セキュリティ部材はふた用部材であり、そしてそのベース用とふた用部材は前記閉鎖状態においてボックス状構造を形成することを特徴とする、請求項１−１５のいずれか一項に記載のセキュリティ・デバイス。
【請求項１７】
前記ベース用部材は自身の内部側面上で前記ロック・スライドを支持する前面壁（１２）を有し、また前記ふた用部材は前記閉鎖状態において、前記ロック・スライドの内部側面上で位置決めされる前面壁（１０２）を有することを特徴とする、請求項１６に記載のセキュリティ・デバイス。
【請求項１８】
前記ふた用部材は自身の前面壁から突出するフランジ（１０７）を有し、そしてそのフランジは前記閉鎖状態において、前記ベース用部材の前面壁と係合しまた前記ボックス状構造にロック・スライドを収納することを特徴とする、請求項１７に記載のセキュリティ・デバイス。
【請求項１９】
前記第一セキュリティ部材の側部の開口部を通り突出する操作手段（２０４）を備える、前記ロック・スライドが考案されることを特徴とする、請求項１−１８のいずれか一項に記載のセキュリティ・デバイス。
【請求項２０】
警報タグを具備していることを特徴とする、請求項１−１９のいずれか一項に記載のセキュリティ・デバイス。
【国際調査報告】
2007515573.tif 000012
2007515573.tif 000013
2007515573.tif 000014